(57)【要約】【課題】本発明は、クレーンの解体時にガイリンクを比較的容易に収容することができるガイリンク格納ユニットを提供することを課題とする。【解決手段】本発明に係るガイリンク格納ユニットは、クレーンの解体時に複数のガイリンクを収容するガイリンク格納ユニットであって、対向する１対の側壁を有し、底部が開口し、水平に配置した複数のガイリンクを上下に積み重ねるよう上記１対の側壁の間に収容する枠体と、上記枠体内に複数のガイリンクを保持する保持機構とを備えることを特徴とする。上記保持機構が、上記１対の側壁の対向する位置に形成され、上下方向に延在する複数対の長孔と、対向する上記長孔を貫通する複数の保持バーとを有するとよい。【選択図】図３
2018062417.tif 000002
【特許請求の範囲】
【請求項１】
クレーンの解体時に複数のガイリンクを収容するガイリンク格納ユニットであって、
対向する１対の側壁を有し、底部が開口し、水平に配置した複数のガイリンクを上下に積み重ねるよう上記１対の側壁の間に収容する枠体と、
上記枠体内に複数のガイリンクを保持する保持機構と
を備えることを特徴とするガイリンク格納ユニット。
【請求項２】
上記保持機構が、上記１対の側壁の対向する位置に形成され、上下方向に延在する複数対の長孔と、対向する上記長孔を貫通する複数の保持バーとを有する請求項１に記載のガイリンク格納ユニット。
【請求項３】
上記ガイリンクが、ロッド及びこのロッドの一端に接続されているリンクプレートを有し、
少なくとも１対の長孔がリンクプレート収容位置に配設され、この少なくとも１対の長孔を貫通する上記保持バーがリンクプレートを貫通するよう構成される請求項２に記載のガイリンク格納ユニット。
【請求項４】
上記保持機構が、上記保持バーの先端部に装着される抜け止め部材をさらに有する請求項２又は請求項３に記載のガイリンク格納ユニット。
【請求項５】
複数のガイリンクを有するガイライン、及びこのガイラインにより支持されるブーム又はジブを備えるクレーンと、
上記複数のガイリンクを収容する請求項１から請求項４のいずれか１項に記載のガイリンク格納ユニットと
を備えるクレーンセット。
【請求項６】
請求項１から請求項４のいずれか１項に記載のガイリンク格納ユニットを補助クレーンで吊り下ろして、略水平に載置したガイリンクに上記枠体を上から被せるクレーンの分解方法。
【発明の詳細な説明】
【技術分野】
【０００１】
本発明は、ガイリンク格納ユニット、クレーンセット及びクレーンの分解方法に関する。
【背景技術】
【０００２】
揺動可能なアタッチメント（本願では、折り曲げ可能なアタッチメントのベース側をブーム、先端側をジブと呼んで区別する）を有する大型のクレーンは、通常、アタッチメントの傾斜角度を保持するためにアタッチメントの先端部を引き留めるガイラインを有する。このガイラインとしては、可撓性を有するワイヤロープの他、堅固な金属製ロッドを有する複数のガイリンクを揺動可能に接続したものが使用される。
【０００３】
また、大型のクレーンは、通常、分解して複数の部品に分割した状態で搬送され、使用場所において組立てられ、使用後には再度分解して撤去される。従って、クレーンの分解時には上記ガイラインを小さくまとめて搬送する必要がある。ガイラインとしてワイヤロープを使用する場合はワイヤロープをリールに巻き取ればよいが、ガイラインとしてガイリンクを使用する場合には、ブームやジブに固定することが多い。しかしながら、特に大型のクレーンでは、サイズや重量の関係で、ブームとガイリンクとを別々に搬送することが必要とされることがある。この場合、ガイリンクは、専用の格納箱等に収納して搬送される。
【０００４】
ガイリンクをブームと分けて搬送するクレーンの分解時には、ガイリンクを分解し、補助クレーンを用いてガイリンクを１つずつ吊り上げて格納箱に収容するのが一般的である。しかしながら、このように１つずつガイリンクを箱詰めする作業は、その都度玉掛け作業が必要となるため、煩雑である。
【０００５】
そこで、ガイライン（テンション部材）を分解することなく、各ガイリンク（バーユニット）間を略１８０°折り返してつづら折り状にして保持する収納ラックを有するクレーンが提案されている（特開２０１２−１４８８６７号公報参照）。
【０００６】
しかしながら、上記公報に記載の収納ラックを使用するためには、ガイライン全体を垂直に一直線に伸ばして吊り上げる必要があるため、比較的大きな補助クレーンが必要となる。また、各ガイリンクを交互に１８０°折り返す作業も決して容易ではない。
【先行技術文献】
【特許文献】
【０００７】
【特許文献１】特開２０１２−１４８８６７号公報
【発明の概要】
【発明が解決しようとする課題】
【０００８】
上記現状に鑑みて、本発明は、クレーンの解体時にガイリンクを比較的容易に収容することができるガイリンク格納ユニット、クレーンセット及びクレーンの分解方法を提供することを課題とする。
【課題を解決するための手段】
【０００９】
上記課題を解決するためになされた発明は、クレーンの分解時に複数のガイリンクを収容するガイリンク格納ユニットであって、対向する１対の側壁を有し、底部が開口し、水平に配置した複数のガイリンクを上下に積み重ねるよう上記１対の側壁の間に収容する枠体と、上記枠体内に複数のガイリンクを保持する保持機構とを備えることを特徴とするガイリンク格納ユニットである。
【００１０】
当該ガイリンク格納ユニットは、水平に配置したガイリンクの上から枠体を被せるようにすることで、つまり当該ガイリンク格納ユニットを補助クレーンで吊り上げてガイリンクの上に吊り下ろすことによって、底部の開口からガイリンクを枠体内に収容することができる。また、当該ガイリンク格納ユニットは、上記保持機構を有することにより、ガイリンクを収容したまま補助クレーンで吊り上げて、次のガイリンクをさら収容することができる。従って、当該ガイリンク格納ユニットは、一度の玉掛けにより複数のガイリンクを収容することができるので、複数のガイリンクを比較的容易に収容することができる。
【００１１】
上記保持機構が、上記１対の側壁の対向する位置に形成され、上下方向に延在する複数対の長孔と、対向する上記長孔を貫通する複数の保持バーとを有するとよい。このように、上記保持機構が、上記１対の側壁の対向する位置に形成され、上下方向に延在する複数対の長孔と、対向する上記長孔を貫通する複数の保持バーとを有することによって、比較的簡単の構成でありながら、枠体内に複数のガイリンクを確実に保持することができる。
【００１２】
上記ガイリンクが、ロッド及びこのロッドの一端に接続されているリンクプレートを有し、少なくとも１対の長孔がリンクプレート収容位置に配設され、この少なくとも１対の長孔を貫通する上記保持バーがリンクプレートを貫通するよう構成されるとよい。このように、上記ガイリンクが上記リンクプレートを有することによって、ガイリンクの構成が比較的簡素となる。また、少なくとも１対の長孔がリンクプレート収容位置に配設され、この少なくとも１対の長孔を貫通する上記保持バーがリンクプレートを貫通するよう構成されることによって、リンクプレートも保持バーにより枠体内に確実に保持することができる。
【００１３】
上記保持機構が、上記保持バーの先端部に装着される抜け止め部材をさらに有するとよい。このように、上記保持機構が、上記保持バーの先端部に装着される抜け止め部材をさらに有することによって、ガイリンクの保持がより確実となる。
【００１４】
上記課題を解決するためになされた別の発明は、複数のガイリンクを有するガイライン、及びこのガイラインにより支持されるブーム又はジブを備えるクレーンと、上記複数のガイリンクを収容する上述の当該ガイリンク格納ユニットとを備えるクレーンセットである。
【００１５】
当該クレーンセットは、当該ガイリンク格納ユニットを備えるため、ガイリンクを比較的容易に収容することができ、クレーンの分解が比較的容易である。
【００１６】
上記課題を解決するためになされたさらに別の発明は、上述の当該ガイリンク格納ユニットを補助クレーンで吊り下ろして、略水平に載置したガイリンクに上記枠体を上から被せるクレーンの分解方法である。
【００１７】
当該クレーンの解体方法は、当該ガイリンク格納ユニットを用いるため、ガイリンクを比較的容易に収容することができ、分解が比較的容易である。
【発明の効果】
【００１８】
本発明のガイリンク格納ユニット、クレーンセット及びクレーンの分解方法は、クレーンの分解時にガイリンクを比較的容易に収容することができる。
【図面の簡単な説明】
【００１９】
【図１】本発明の一実施形態のクレーンセットを示す模式的側面図である。
【図２】図１のクレーンセットにおけるクレーンのガイリンクの模式的拡大側面図である。
【図３】図１のクレーンセットにおけるガイリンク格納ユニットの模式的側面図である。
【図４】図３のガイリンク格納ユニットの模式的Ａ−Ａ線断面図である。
【図５】図３のガイリンク格納ユニットへのガイリンクの収容の一工程を示す模式的側面図である。
【図６】図３のガイリンク格納ユニットへのガイリンクの収容の図５の次の工程を示す模式的側面図である。
【図７】図３のガイリンク格納ユニットへのガイリンクの収容の図６の次の工程を示す模式的側面図である。
【図８】図３のガイリンク格納ユニットへのガイリンクの収容の図７の次の工程を示す模式的側面図である。
【図９】図３のガイリンク格納ユニットへのガイリンクの収容の図８の次の工程を示す模式的側面図である。
【発明を実施するための形態】
【００２０】
以下、適宜図面を参照しつつ、本発明の実施の形態を詳説する。
【００２１】
［クレーンセット］
図１に示す本発明の一実施形態に係るクレーンセットは、クレーン１と、それ自体が本発明の別の実施形態である１又は複数のガイリンク格納ユニット２とを備える。
【００２２】
〔クレーン〕
クレーン１は、自走可能な本体部３と、この本体部３の前部に一端が取り付けられ、起伏可能なブーム４と、このブーム４の先端に傾動可能に連設されるジブ５と、ブーム４の本体部３近傍からブーム４及びジブ５に沿って延出してジブ５の先端から垂下され、先端にフック６が設けられるロープ７とを備える。
【００２３】
また、クレーン１は、ブーム４の傾斜角度を定めるブーム起伏機構８と、ジブ５のブーム４に対する傾斜角度を定めるジブ起伏機構９とを備える。
【００２４】
＜本体部＞
本体部３は、下部走行体１０と、この下部走行体１０の上に水平回転可能に配設される上部旋回体１１とを有する。
【００２５】
＜ブーム及びジブ＞
ブーム４及びジブ５は、平行又は一方側の間隔が小さくなるよう並列配置した４本の主桁を複数の補桁（ラチス）で接続した概略四角筒状乃至四角錐状の複数の骨組み構造体を長手方向に連結した公知の構成とすることができる。
【００２６】
＜ブーム起伏機構＞
ブーム起伏機構８は、本体部３の後部及びブーム４の先端部間に張架されるブームガイライン１２と、ブームガイライン１２の車両部３側の端部の係止位置を調節するブーム調節装置１３とを有する。
【００２７】
（ブームガイライン）
ブームガイライン１２は、複数のガイリンク１４を有する。このブームガイライン１２は、一部が可撓性を有するワイヤケーブル等から形成されてもよい。
【００２８】
《ガイリンク》
ガイリンク１４は、図２に示すように、棒状のロッド１５及びこのロッド１５の一端に接続されているリンクプレート１６を有する。このガイリンク１４は、十分な引張強度を有する鋼材等から形成される。ガイリンク１４は、ブーム４又はジブ５と共に分解及び組立てを行うことが容易となるよう、ブーム４又はジブ５の骨組み構造体の長さと等しい長さを有することが好ましい。
【００２９】
ロッド１５は、両端部に貫通孔１７が形成された棒状（帯板状や筒状等を含む）の部材とすることができる。このロッド１５は、好ましくは、両端部の貫通孔１７の軸方向に垂直な方向の幅が大きく、平坦な地面に載置した場合に両端部以外が接地せずに浮き上がるよう構成される。ロッド１５をこのような構成とすることにより、ガイリンク格納ユニット２への収容が容易となる。このようなロッド１５は、棒材又は十分に堅固なワイヤケーブルの両端に貫通孔１７を形成した部材を接合することによって形成することができる。
【００３０】
リンクプレート１６は、両端部にロッド１５の貫通孔１７を貫通するリンクピン１８が係合する接続孔１９が形成されている。ロッド１５の一端にリンクプレート１６の一端を接続してなるガイリンク１４は、リンクプレート１６の他端に別のガイリンク１４のロッド１５の他端を接続することで連結することができる。
【００３１】
《ブーム調節装置》
ブーム調節装置１３としては、公知のガイライン用調節装置を用いることができる。このブーム調節装置１３の具体例としては、一端が上部旋回体１１に前後方向に揺動可能に枢支され、揺動端にブームガイライン１２の端部が固定されるガントリ２０と、ガントリ２０の揺動端と上部旋回体１１との距離を調節する駆動部２１とを有する構成とすることができる。
【００３２】
駆動部２１の構成としては、ガントリ２０及び上部旋回体１１にそれぞれシーブを取り付け、これらのシーブ間に掛け渡したワイヤケーブルを送出又は巻取りするウィンチを上部旋回体１１に配設したものとすることができる。
【００３３】
＜ジブ起伏機構＞
ジブ起伏機構９は、ブーム４の先端部に後方に伸びるよう揺動可能に配設される第１ストラット２２及び第２ストラット２３と、ブーム４の基端近傍部及び第１ストラット２２の先端間に張架される第１ジブガイライン２４と、ジブ５の先端部及び第２ストラット２３の先端間に張架される第２ジブガイライン２５と、第１ストラット２２及び第２ストラット２３間の角度を調節することによりジブ５のブーム４に対する傾斜角度を定めるジブ調節装置２６とを備える。
（ジブガイライン）
第１ジブガイライン２４及び第２ジブガイライン２５は、複数のガイリンク２７を有する。この第１ジブガイライン２４及び第２ジブガイライン２５は、一部が可撓性を有するワイヤケーブル等から形成されてもよい。
【００３４】
第１ジブガイライン２４及び第２ジブガイライン２５のガイリンク２７の構成としては、ブームガイライン１２のガイリンク１４と同様の構成とすることができる。第１ジブガイライン２４及び第２ジブガイライン２５のガイリンク２７の寸法は、ブームガイライン１２のガイリンク１４と同じであってもよく、異なっていてもよい。
【００３５】
（ジブ調節装置）
ジブ調節装置２６としては、第１ストラット２２及び第２ストラット２３にそれぞれシーブを取り付け、これらのシーブに掛け渡したワイヤケーブルを送出又は巻取りするウィンチをブーム４に配設したものとすることができる。
【００３６】
〔ガイリンク格納ユニット〕
ガイリンク格納ユニット２は、図３及び図４に示すように、略水平に配置した複数のガイリンク１４，２７を上下に積み重ねて収容する枠体２８と、この枠体２８内に複数のガイリンク１４，２７を保持する保持機構２９とを備える。
【００３７】
当該ガイリンク格納ユニット２は、補助クレーンで吊り上げて水平に配置したガイリンク１４，２７の上に吊り下ろすことによって、底部の開口からガイリンク１４，２７を枠体２８の中に収容することができる。また、当該ガイリンク格納ユニット２は、保持機構２９を有することにより、ガイリンク１４，２７を収容したまま補助クレーンで吊り上げて、次のガイリンク１４，２７をさら収容することができる。従って、当該ガイリンク格納ユニット２は、一度の玉掛けにより複数のガイリンク１４，２７を収容することができるので、クレーン１の分解時に分離される複数のガイリンク１４，２７を比較的容易に収容することができる。
【００３８】
＜枠体＞
枠体２８は、対向する１対の側壁３０を有し、かつ底部が開口しており、１対の側壁３０の間に複数のガイリンク１４，２７を収容する。この枠体２８の具体的な形状としては、典型的には底が開放した直方体箱状とすることができる。
【００３９】
枠体２８の上面には、補助クレーンでの吊り上げを容易にするために、ワイヤケーブル等を通す孔を有するアイボルト又はブラケットを配設することが好ましい。
【００４０】
また、枠体２８の長手方向の端面には、隣接するガイリンク１４，２７との干渉を避ける切欠等が設けられることが好ましい。このように、枠体２８の長手方向の端面に切欠等を設けることによって、各ガイリンク１４，２７のロッドの貫通孔１７と隣接するガイリンク１４，２７のリンクプレート１６の接続孔１９とが同軸となるよう複数のガイリンク１４，２７を端部が重複し合うよう並べた状態で、枠体２８をガイリンク１４，２７に被せることができる。
【００４１】
枠体２８の材質としては、十分な強度を有するものであればよいが、典型的には構造用鋼が使用される。また、枠体２８は、輸送時に安定して自立できるよう１対の側壁３０の外側に突出する脚部を有してもよい。また、輸送時に当該ガイリンク格納ユニット２を保持する治具又はコンテナを別途用意してもよい。
【００４２】
１対の側壁３０の下端部は、下方に向かって間隔が拡がるようテーパが設けられてもよい。また、１対の側壁３０の対向面に上下方向に延設され、ガイリンク１４，２７の凹凸形状に対応する溝を形成し、この溝にガイリンク１４，２７の凸部を受け入れる用構成することにより、１対の側壁３０の間隔を上記下限よりも小さくしてもよい。
【００４３】
＜保持機構＞
保持機構２９は、枠体２８の１対の側壁３０の対向する位置に形成され、上下方向に延在する複数対の長孔３１と、対向する長孔３１を貫通する複数の保持バー３２とを有する構成とすることができる。保持バー３２は、長孔３１の下端に当接して支持されることにより、ガイリンク１４，２７を保持する。
【００４４】
長孔３１の下端位置としては、枠体２８の底面と、枠体２８内に収容されるガイリンク１４，２７の底面とが同一平面上にあるときにロッド１５の下側に保持バー３２を挿入できる位置とされることが好ましい。一方、長孔３１の上端位置としては、少なくとも新たに収容するガイリンク１４，２７の上に枠体２８を被せた状態で新たに収容するガイリンク１４，２７の上側に保持バー３２を挿入できる位置とされることが好ましく、枠体２８に収容される全てのガイリンク１４，２７の下側にそれぞれ保持バー３２を挿入できる位置とされることがより好ましい。
【００４５】
また、長孔３１の長手方向の配設位置としては、ガイリンク１４，２７のロッド１５の両端近傍を含むことが好ましく、ロッド１５の両端近傍のうちでもロッド１５の高さが比較的小さく、ガイリンク１４，２７を平坦な地面に載置した場合に地面から浮いた状態となる位置を含むことがより好ましい。
【００４６】
また、複数の長孔３１のいずれかがガイリンク１４，２７のリンクプレート１６が配置される位置に形成されることが好ましい。これにより、保持バー３２によってリンクプレート１６を保持し、枠体２８内に保持されたガイリンク１４，２７のリンクプレート１６が垂れ下がって枠体２８から突出することを防止することができる。
【００４７】
また、このリンクプレート１６を保持する保持バー３２がリンクプレート１６を貫通するよう構成されることがより好ましい。このように保持バー３２がリンクプレート１６を貫通することで、枠体２８の中でガイリンク１４，２７が回転することを防止でき、クレーン１を再度組立てる際にガイリンク１４，２７を接続してガイライン１２，２４，２５を組立てるとき、ガイリンク１４，２７の向きを矯正する必要がなくなる。
【００４８】
このリンクプレート１６を保持する保持バー３２は、リンクプレート１６の接続孔１９を貫通してもよいが、ガイリンク１４，２７の回転をより確実に防止しつつ、保持バーを小径で軽量なものとできる点で、リンクプレート１６に専用に形成される保持孔３３を貫通するよう構成されることが好ましい（図２及び図３参照）。この保持孔３３の径及びこの保持孔３３に対向する長孔３１の幅は、ロッド１５を保持する保持バー３２が挿入される長孔３１の幅よりも小さくすることができる。つまり、リンクプレート１６を保持する保持バー３２は、ロッド１５を保持する保持バー３２よりも細くてもよい。
【００４９】
また、保持孔３３は、ガイリンク１４，２７同士を接続したときにロッド１５と干渉しない中央部（１対の接続孔１９間）に形成するとよい。これにより、ガイリンク１４，２７同士を接続するリンクピン１８を取り外すだけで、隣接するガイリンク１４，２７を移動しなくてもガイリンク１４，２７を当該ガイリンク格納ユニット２に収容することができる。
【００５０】
さらに保持機構２９は、保持バー３２の先端部に装着される抜け止め部材３４をさらに有することが好ましい。この抜け止め部材３４としては、例えばスナップピン、割ピン、ナット、止め輪等を用いることができる。
【００５１】
［クレーンの解体方法］
本発明の別の実施形態に係るクレーンの解体方法は、図１のクレーン１を解体するために採用することができる。
【００５２】
当該クレーンの解体方法は、ガイリンク格納ユニット２を補助クレーンで吊り下ろして、略水平に載置したガイリンク１４，２７に枠体２８を上から被せる工程を含む。当該クレーンの解体方法は、クレーン１のブーム４及びジブ５を地面に横たえる工程と、ブームガイライン１２、第１ジブガイライン２４及び第２ジブガイライン２５を分解する工程とをさらに含む。
【００５３】
ブーム４及びジブ５を地面に横たえることで、ガイライン１２，２４，２５は、ブーム４又はジブ５の上に略水平に載置される。そして、ブーム４又はジブ５上においてガイライン１２，２４，２５を分解する。つまり、ガイライン１２，２４，２５は、ブーム４又はジブ５の上で各リンクプレート１６の一方側のリンクピン１８が取り外され、各ロッド１５の一方側の端部にのみリンクプレート１６が接続された複数のガイリンク１４，２７に分離される。
【００５４】
続いて、図５に示すように、補助クレーンにより枠体２８を吊り上げて枠体２８をガイリンク１４，２７（以下、ガイリンク２７については不図示）に被せ、保持機構２９によりガイリンク１４，２７を枠体２８内に保持する。具体的には、図６に示すように、枠体２８内にガイリンク１４，２７が収まるよう枠体２８をブーム４又はジブ５の上に載置し、図７に示すように、ガイリンク１４，２７のロッド１５の下側及びリンクプレート１６の保持孔３３の位置で、長孔３１に保持バー３２を挿入する。この状態で枠体２８を吊り上げると、図８に示すように、保持バー３２が長孔３１の下端に当接して支持され、この保持バー３２上にガイリンク１４，２７を支持することができ、ガイリンク１４，２７が枠体２８から落下することを防止できる。
【００５５】
枠体２８をガイリンク１４，２７に被せた状態で保持バー３２が挿入し易くなるよう、図示するように、ブーム４及びジブ５にガイリンク１４，２７をブーム４から浮かせて支持する支持体３５を設け、枠体２８をブーム４又はジブ５上に載置した状態でガイリンク１４，２７が枠体２８の僅かに上側まで入り込むようにすることが好ましい。これにより、枠体２８を吊り上げたときにガイリンク１４，２７が枠体２８から下方にはみ出さないようにすることができる。
【００５６】
枠体２８内にガイリンク１４，２７を収容した当該ガイリンク格納ユニット２を補助クレーンにより移動させ、枠体２８を次のガイリンク１４，２７に被せることで、図９に示すように、この新たなガイリンク１４，２７により先に収容されているガイリンク１４，２７を枠体２８の上方に押込むことができる。このとき、先に収容されているガイリンク１４，２７を保持していた保持バー３２は、新たなガイリンク１４，２７の上面に当接して、又は貫通するリンクプレート１６の保持孔３３と共に、長孔３１に沿って上方に移動する。逆に言うと、当該ガイリンク格納ユニット２は、先に収容したガイリンク１４，２７を保持する保持バー３２が長孔３１に沿って上方に移動することによって、次のガイリンク１４，２７をさらに収容することができる。
【００５７】
こうして新たに収容したガイリンク１４，２７を保持するさらなる保持バー３２を長孔３１の下部に挿入することにより、新たに収容したガイリンク１４，２７の枠体２８からの脱落を防止することができる。
【００５８】
このように、新たなガイリンク１４，２７を収容して保持する工程を繰り返すことにより、当該ガイリンク格納ユニット２は、枠体２８の高さが許容する範囲で、３以上のガイリンク１４，２７を収容することができる。
【００５９】
［クレーンの組立て方法］
クレーン１の組立ては、ブーム４及びジブ５の骨組み構造体を組立て、組立てられたブーム４又はジブ５の上に、補助クレーンを用いてガイリンク１４，２７を収容する当該ガイリンク格納ユニット２を載置する。
【００６０】
そして、最も下側に収容されているガイリンク１４，２７を保持する保持バー３２を取り外してから、当該ガイリンク格納ユニット２を補助クレーンで吊り上げる。すると、最も下側に収容されていたガイリンク１４，２７がブーム４又はジブ５の上に残される。一方、枠体２８内の下から２番目以降のガイリンク１４，２７は、保持バー３２によって枠体２８内に保留される。
【００６１】
当該ガイリンク格納ユニット２を移動してブーム４又はジブ５上に載置し、同様にして、最も下側に収容されているガイリンク１４，２７をブーム４又はジブ５の上に取り残すことを繰り返すことによって、当該ガイリンク格納ユニット２に収容されていた全てのガイリンク１４，２７を取り出してブーム４又はジブ５上に並べることができる。
【００６２】
このブーム４又はジブ５上に並べられた複数のガイリンク１４，２７をリンクピン１８で接続することによってガイライン１２，２４，２５を組立てることができる。
【００６３】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００６４】
当該ガイリンク格納ユニットは、長手方向端部が閉鎖されていてもよく、この場合、ブーム又はジブ上でガイリンクを長手方向に僅かに移動させることで、当該ガイリンク格納ユニットでガイリンクを収容又はガイリンクを接続することができる。また、当該ガイリンク格納ユニットは、リンクプレートを取り外したガイリンク（ロッド）を収容するものであってもよい。
【００６５】
当該ガイリンク格納ユニットの枠体は、箱状でなくてもよく、１対の側壁を複数の梁等で接続したものであってもよい。
【００６６】
当該ガイリンク格納ユニットの保持機構は、長孔に保持バーを挿入する構成以外のものであってもよい。具体例としては、枠体の側壁から内側に突出し、上方に跳ね上げ可能かつ左右に揺動可能な保持部材を有する構成とすることができる。この構成によれば、ガイリンクに枠体を被せると保持部材がガイリンクによって跳ね上げられ、オペレータが保持部材を水平方向に揺動させてガイリンクの下側に移動させることで、収容したガイリンクを保持可能となる。逆に、ガイリンクを取り出すときは、ガイリンク格納ユニットを載置した状態で、保持部材を水平方向に揺動させてから跳ね上げて保持部材の先端部を最も下側のガイリンクの上側に配置する。これにより、ガイリンク格納ユニットを吊り上げると、保持部材が下から２番目以上のガイリンクを保持し、最も下側のガイリンクだけが取り残される。これ以外にも、当該ガイリンク格納ユニットの保持機構としては、例えばガイリンクに螺合するボルト等、任意の機構を採用することができる。
【００６７】
当該ガイリンク格納ユニットに収容するガイリンク、及び当該クレーンセットのクレーンのガイリンクは、ロッドとリンクプレートとが一体に形成されているものであってもよい。
【００６８】
当該クレーンセットのクレーンは、ジブを有しないものであってもよい。また、当該クレーンセットのクレーンは、ブームガイライン又はジブガイラインがガイリンクを有しなくてもよい。また、ブームガイラインのガイリンク及びジブガイラインのガイリンクのいずれか一方だけを当該ガイリンク格納ユニットに収容してもよい。
【００６９】
当該クレーンセットのクレーンは、ブーム又はジブの角度が固定して使用されるものであってもよい。
【００７０】
当該クレーンセットのクレーンは、クレーンベースがクローラユニットを有しないものであってもよい。具体例として、当該クレーンセットのクレーンは、ホイールクレーン等の他の移動式クレーンや、固定式クレーンであってもよい。
【産業上の利用可能性】
【００７１】
当該ガイリンク格納ユニットは、ガイリンクを有する多様なクレーンの解体時にガイリンクを収容するものとして広く利用することができる。
【符号の説明】
【００７２】
１  クレーン
２  ガイリンク格納ユニット
３  車両部
４  ブーム
５  ジブ
６  フック
７  ロープ
８  ブーム起伏機構
９  ジブ起伏機構
１０  クローラユニット
１１  クレーンベース
１２  ブームガイライン
１３  ブーム調節装置
１４  ガイリンク
１５  ロッド
１６  リンクプレート
１７  貫通孔
１８  リンクピン
１９  接続孔
２０  牽引アーム
２１  駆動部
２２  第１ストラット
２３  第２ストラット
２４  第１ジブガイライン
２５  第２ジブガイライン
２６  ジブ調節装置
２７  ガイリンク
２８  枠体
２９  保持機構
３０  側壁
３１  長孔
３２  保持バー
３３  保持孔
３４  抜け止め部材
３５  支持体
【図１】
2018062417.tif 000003
【図２】
2018062417.tif 000004
【図３】
2018062417.tif 000005
【図４】
2018062417.tif 000006
【図５】
2018062417.tif 000007
【図６】
2018062417.tif 000008
【図７】
2018062417.tif 000009
【図８】
2018062417.tif 000010
【図９】
2018062417.tif 000011